(57)【特許請求の範囲】
【請求項１】
巻返し機であって、列を成して配置された複数の糸巻返し部に沿って走行する、糸を繰り出そうとするそれぞれ１つの紡績ボビンを備えた搬送エレメントのための供給路と、反対側で糸巻返し部に沿って走行する、糸を繰り出されたそれぞれ１つの紡績ボビンを備えた搬送エレメントのための搬出路と、供給路と搬出路とを結合してそれぞれ１つの糸巻返し部を通走する横方向搬送路とが設けられており、糸巻返し部がそれぞれ１つの位置決めエレメントを有しており、該位置決めエレメントが、搬送エレメントを繰出し位置に位置決めするために所属の横方向搬送路内に進入運動可能であり、この搬送エレメントを解放するために横方向搬送路から進出運動可能である形式のものにおいて、
横方向搬送路（１６）内に進入運動可能かつ該横方向搬送路（１６）から進出運動可能な手段（３１）が設けられており、該手段が搬送エレメント（１１）に対応配置されていて、位置決めエレメント（１８）と搬出路（１４）との間での横方向搬送路（１６）の収容キャパシティを、唯１つの搬送エレメント（１１）の収容だけに制限していることを特徴とする、巻返し機。
【請求項２】
位置決めエレメント（１８）と搬出路（１４）との間での横方向搬送路（１６）の収容キャパシティを制限するための手段（３１）が、それぞれの位置決めエレメント（１８）と組み合わされている、請求項１記載の巻返し機。
【請求項３】
位置決めエレメント（１８）が搬出路（１４）に向いた側で、横方向搬送路（１６）内に突入する、搬送エレメント（１１）のためのストッパを備えている、請求項２記載の巻返し機。
【請求項４】
位置決めエレメント（１８）とストッパ（３１）とがほぼ横方向で横方向搬送路（１６）内に進入運動可能である、請求項２または３記載の巻返し機。
【請求項５】
位置決めエレメント（１８）が、下方に向かって突出するピン（３１）を備えており、該ピンが１つの搬送エレメント（１１）のベースプレートの縁部に対応配置されている、請求項４記載の巻返し機。
【発明の詳細な説明】
【０００１】
【発明の属する技術分野】
本発明は、巻返し機であって、列を成して配置された複数の糸巻返し部に沿って走行する、糸を繰り出そうとするそれぞれ１つの紡績ボビンを備えた搬送エレメントのための供給路と、反対側で糸巻返し部に沿って走行する、糸を繰り出されたそれぞれ１つの紡績ボビンを備えた搬送エレメントのための搬出路と、供給路と搬出路とを結合してそれぞれ１つの糸巻返し部を通走する横方向搬送路とが設けられており、糸巻返し部がそれぞれ１つの位置決めエレメントを有しており、該位置決めエレメントが、搬送エレメントを繰出し位置に位置決めするために所属の横方向搬送路内に進入運動可能であり、この搬送エレメントを解放するために横方向搬送路から進出運動可能である形式のものに関する。
【０００２】
【従来の技術】
冒頭で述べた形式の巻返し機はドイツ連邦共和国特許出願公開第１９６１７４６９号明細書に基づき公知である。このような形式の巻返し機の場合、不都合な状況が重なると、搬送エレメントが横方向搬送路の開口領域で滞り、ひいては搬出路においても閉塞を招いてしまう。このような閉塞は操作員の干渉によってしか取り除くことはできない。搬出路上を複数の搬送エレメントが横方向搬送路の開口を擦過するように搬送されると、糸を繰り出された巻き管を備えた搬送エレメントは横方向搬送路から、例えば部分的にしか突出することはできない。横方向搬送路に既に別の搬送エレメントが存在するため、横方向搬送路内にこの搬送エレメントを押し戻すことができない場合には、この搬送エレメントが開口領域で挟み込まれて、搬出路における搬送を閉塞してしまうおそれがある。
【０００３】
【発明が解決しようとする課題】
本発明の課題は、冒頭で述べた形式の巻返し機を改良して、閉塞のおそれが十分に排除されているような巻返し機を提供することである。
【０００４】
【課題を解決するための手段】
この課題を解決するために本発明の構成では、横方向搬送路内に進入運動可能かつ該横方向搬送路から進出運動可能な手段が設けられており、該手段が搬送エレメントに対応配置されていて、位置決めエレメントと搬出路との間での横方向搬送路の収容キャパシティを、唯１つの搬送エレメントの収容だけに制限しているようにした。
【０００５】
【発明の効果】
このような構成によって、唯１つの搬送エレメントが位置決めエレメントと搬出路との間に場所を占めるので、この搬送エレメントは、この搬送エレメントが開口からの進出時に搬出路上を走行する搬送エレメントにぶつかった場合に、完全に横方向搬送路内に押し戻すことができ、従って搬出路における搬送を閉塞することはない。
【０００６】
本発明の別の構成においては、収容キャパシティを制限するための手段が、それぞれの位置決めエレメントと組み合わされている。これにより、必要な手間が比較的小さく保たれる。それというのは、このためにそれぞれの位置決めエレメントが、所属の駆動装置と一緒に使用されるからである。従って付加的な手間は小さい。
【０００７】
【発明の実施の形態】
次に本発明を図面に示した実施の形態について説明する。
【０００８】
巻返し機は供給路１０を有している。この供給路において紡績ボビン１２を備えた搬送エレメント１１が供給される。これらの搬送エレメントは、円筒形のベースプレート、または、スポークと中心の隆起したハブとを有するリングから成っている。このハブから先ずネック部と、続いてピン部とが突出しており、このピン部には紡績ボビン１２がそれらの巻き管１５と一緒に被せ嵌められている。
【０００９】
糸巻返し部１３に対して供給路１０とは反対側には搬出路１４が設けられている。この搬出路１４においては、搬送エレメント１１は、糸を繰り出された紡績ボビンと一緒に、つまり一般的には空の巻き管１５と一緒に搬出される。留意すべきことは、種々の理由から、例えば糸巻返し部１３内で自動的には排除できない糸切れが発生した場合には、紡績ボビン１２は１つの糸巻返し部１３内で完全には糸を繰り出されないので、部分的にしか糸を繰り出されていない紡績ボビンが搬出路１４に達することも生じ得る、ということである。
【００１０】
供給路１０および搬出路１４は、複数の横方向搬送路１６によって互いに結合されている。これらの横方向搬送路は、満管の紡績ボビン１２を備えた搬送エレメント１１がそれぞれ１つの糸巻返し部１３を通走するように配置されている。
【００１１】
これらの糸巻返し部１３はそれぞれ１つの繰出し位置１７を有している。この繰出し位置１７において、１つの搬送エレメント１１′が位置決めエレメント１８によって、紡績ボビン１２の繰出し中に位置決めされている。この位置決めエレメント１８はプレートの形状を有している。このプレートは鉛直方向の軸２７を中心にして旋回可能である。この軸２７は横方向搬送路１６に並んで、かつ、位置決めエレメント１８の、受容切欠き２８を有する部分が横方向搬送路１６に対してほぼ横方向に運動するように、繰出し位置１７の手前に位置決めされている。受容切欠き２８は搬送エレメント１１′をネック部２９で保持している。
【００１２】
位置決めエレメント１８は、駆動装置によって図示したような、繰出し位置１７を規定する内方旋回させられた位置から外方旋回可能であり、再び繰出し位置１７に戻し旋回可能である。位置決めエレメントの駆動装置は駆動モータ１９を有している。この駆動モータは減速伝動装置２０を介して制御カムユニット２１を駆動する。制御カムのうちの１つは、カムレバー２２を駆動する。このカムレバーは操作ロッド２３を介して操作レバー２４に結合されている。この操作レバーは引張りばね２５を介して図示の位置に保持される。この位置においては位置決めエレメント１８は内方旋回させられている。操作レバー２４は付加部で位置決めエレメントの２つのストッパ２６の間に係合している。制御カムユニット２１は糸巻返し部の別のエレメント（詳細には図示せず）を駆動する。例えば制御カムユニット２１は、新たに繰出し位置１７に接近させられた紡績ボビン１２から糸端部を受容するための装置３０をも駆動する。
【００１３】
紡績ボビン１２の糸繰出し後には、搬送エレメント１１には空の巻き管１５（または場合によって糸切れ時には残留巻体）しか残らない。次いで位置決めエレメント１８の外方旋回により、搬送エレメント１１′が解放されるので、この搬送エレメント１１′は横方向搬送路１６の搬送手段によって、搬出路１４に向かう方向に搬送される。横方向搬送路１６は、供給路１０から搬出路１４に向かって走行する搬送手段、例えば、互いに所定の間隔を置いて平行に延びる２つの搬送ベルトを備えている。これらの搬送ベルトは、外方旋回させられた位置決めエレメントから解放された搬送エレメント１１′を搬出路１４に搬送してこの搬出路４に引き渡し、繰出し位置１７の手前にリザーブされている搬送エレメントをさらに搬送して、繰り出されるべき紡績ボビンを有する次の搬送エレメント１１′″が繰出し位置１７の領域内に達し、この場所で再び内方旋回する位置決めエレメント１８によって保持されるようになっている。
【００１４】
プレート状の位置決めエレメント１８は搬出路１４に向かう方向で延長されていてピン３１を備えている。このピンは下方に向かって突出していて、位置決めエレメント１８の内方旋回された位置決め位置においては、横方向搬送路で、搬送エレメント１１の丸いプレートの領域に突入している。この位置決めエレメント１８はピン３１で、搬出路１４への開口領域における横方向搬送路１６の収容キャパシティを制限して、唯１つの搬送エレメント１１″だけが場所を占めるようになっている。これにより、この搬送エレメント１１″が横方向搬送路からの進出時に搬出路１４上を走行する搬送エレメントに衝突した場合に、この搬送エレメント１１″を横方向搬送路１６内に押し戻すことができることが保証される。これにより、横方向搬送路１６から部分的に出て、搬出路１４上で搬送される搬送エレメント１１に向かってぶつかった搬送エレメント１１が横方向搬送路１６の開口領域で挟み込まれることが、比較的高い確実性をもって排除される。
【００１５】
供給路１０、横方向搬送路１６、および搬出路１４は、その形状は本発明にとっては重要ではないので、概ね概略的にのみ図示されている。供給路１０と横方向搬送路１６とは、原理的にはドイツ連邦共和国特許出願公開第４１４２７９０号明細書に相応して形成することができる。横方向搬送路１６は、搬送手段として特に、互いに平行に延びる２つの横方向搬送ベルトを有している。これらの横方向搬送ベルトは常に循環しているか、または、横方向搬送路１６で、搬送エレメント１１を受容するための空いている個所が存在していて、繰出し位置の交換が行われるときにだけ駆動される。
【図面の簡単な説明】
【図１】本発明による巻返し機の個別の糸巻返し部を示す側面図である。
【図２】図１のＩＩ−ＩＩ線に沿った断面図である。
【符号の説明】
１０  供給路、  １１  搬送エレメント、  １２  紡績ボビン、  １３  糸巻返し部、  １４  搬出路、  １５  巻き管、  １６  横方向搬送路、  １７  繰出し位置、  １８  位置決めエレメント、  １９  駆動モータ、  ２０  減速伝動装置、  ２１  制御カムユニット、  ２２  カムレバー、  ２３  操作ロッド、  ２４  操作レバー、  ２５  引張りばね、  ２６  ストッパ、  ２７  軸、２８  受容切欠き、  ２９  ネック部、  ３０  糸端部を受容するための装置、  ３１  ピン
【図１】
0004119555.tif 000002
【図２】
0004119555.tif 000003